【手続補正書】
【提出日】平成18年12月7日(2006.12.7)
【手続補正１】
【補正対象書類名】明細書
【補正対象項目名】特許請求の範囲
【補正方法】変更
【補正の内容】
【特許請求の範囲】
【請求項１】
予め設定された大きさの処理対象領域をシフトしながら、前記処理対象領域に含まれる複数の画素信号を大きさ順に並べ替える処理を含む信号処理を行う信号処理装置であって、
シフト後に新たに前記処理対象領域に加わる複数の新画素信号を大きさ順に並べ替える新データ並べ替え手段と、
前記新データ並べ替え手段により並べ替えられた前記複数の新画素信号それぞれと、シフト前の前記処理対象領域に含まれる信号処理済みの複数の旧画素信号との大小比較を行い、前記複数の新画素信号及び前記複数の旧画素信号を併せた順位を決定する全データ順位決定手段と、
前記全データ順位決定手段により決定された順位に基づいて、シフト後の前記処理対象領域に含まれる複数の画素信号の並べ替えを行う全データ並べ替え手段と
を有することを特徴とする信号処理装置。
【請求項２】  
信号処理を行うか否かの指示を入力するための入力手段と、
前記入力手段により信号処理を行わない指示が入力された場合に、前記複数の旧画素信号の内、シフト前の前記処理対象領域における予め決められた画素位置の画素信号を予め決められた値に変更する第１の変更手段と、
前記入力手段により信号処理を行わない指示が入力された場合に、前記複数の新画素信号の内、シフト後の前記処理対象領域における予め決められた画素位置の画素信号を予め決められた値に変更する第２の変更手段と
を更に有することを特徴とする請求項１に記載の信号処理装置。
【請求項３】  
前記処理対象領域の大きさの変更を入力するための入力手段と、
前記入力手段により前記処理対象領域の大きさの変更指示が入力された場合に、前記複数の旧画素信号の内、シフト前の前記処理対象領域における予め決められた画素位置の画素信号を予め決められた値に変更する第１の変更手段と、
前記入力手段により前記処理対象領域の大きさの変更指示が入力された場合に、前記複数の新画素信号の内、シフト後の前記処理対象領域における予め決められた画素位置の画素信号を予め決められた値に変更する第２の変更手段と
を更に有することを特徴とする請求項１に記載の信号処理装置。
【請求項４】  
前記処理対象領域の大きさの変更は、信号処理装置が処理可能な処理対象領域の大きさよりも狭い範囲を指定するように変更することを特徴とする請求項３に記載の信号処理装置。
【請求項５】  
前記第１の変更手段が変更する前記予め決められた値は、画素信号が取り得る最大値及び最小値であり、前記第２の変更手段が変更する前記予め決められた値は、画素信号が取り得る最大値及び最小値であることを特徴とする請求項２乃至４のいずれかに記載の信号処理装置。
【請求項６】  
前記全データ並べ替え手段により並べ替えられた画素信号から、中央の順位の信号を選択して出力する選択手段を更に有することを特徴とする請求項１乃至５のいずれか１項に記載の信号処理装置。
【請求項７】  
前記新データ並べ替え手段は、
前記複数の新画像信号の各信号を前記複数の新画像信号の別の各信号とそれぞれ比較する比較手段と、
前記比較手段からの比較結果に基づいて、前記複数の新画像信号の大きさの順位を決定する手段と
を有することを特徴とする請求項１乃至６のいずれか１項に記載の信号処理装置。
【請求項８】  
前記全データ順位決定手段は、シフト後に前記処理対象領域から外れる画素信号に、前記処理対象領域から外れることを示す予め決められた値を順位として与えることを特徴とする請求項１乃至７のいずれか１項に記載の信号処理装置。
【請求項９】  
前記複数の旧画素信号には、信号処理を受けた回数を示す付加情報が付加され、前記全データ順位決定手段は、前記付加情報に基づいてシフト後に前記処理対象領域から外れる画素信号を判断することを特徴とする請求項８に記載の信号処理装置。
【請求項１０】  
前記付加情報は、シフト前の前記処理対象領域における前記複数の旧画素信号の列情報であることを特徴とする請求項９に記載の信号処理装置。
【請求項１１】  
前記全データ順位決定手段は、
前記複数の新画素信号の各信号と前記複数の旧画素信号とを大小比較し、前記複数の新画素信号の各信号の順位を決定する第１の順位決定手段と、
前記複数の旧画素信号の各信号と前記複数の新画素信号とを大小比較し、前記複数の旧各画素信号の各信号の順位を決定する第２の順位決定手段と
を有することを特徴とする請求項１乃至１０のいずれか１項に記載の信号処理装置。
【請求項１２】  
前記全データ並べ替え手段は、並べ替えた画像信号の内、シフト後の前記処理対象領域に含まれる画素信号を出力することを特徴とする請求項１乃至１１のいずれか１項に記載の信号処理装置。
【請求項１３】  
前記処理対象範囲が１回シフトする毎に、前記新データ並べ替え手段、前記全データ順位決定手段、及び、前記全データ並べ替え手段による処理を１回実行することを特徴とする請求項１乃至１２のいずれか１項に記載の信号処理装置。
【手続補正２】
【補正対象書類名】明細書
【補正対象項目名】００１５
【補正方法】変更
【補正の内容】
【００１５】
【課題を解決するための手段】
上記目的を達成するために、予め設定された大きさの処理対象領域をシフトしながら、前記処理対象領域に含まれる複数の画素信号を大きさ順に並べ替える処理を含む信号処理を行う、本発明の信号処理装置は、シフト後に新たに前記処理対象領域に加わる複数の新画素信号を大きさ順に並べ替える新データ並べ替え手段と、前記新データ並べ替え手段により並べ替えられた前記複数の新画素信号それぞれと、シフト前の前記処理対象領域に含まれる信号処理済みの複数の旧画素信号との大小比較を行い、前記複数の新画素信号及び前記複数の旧画素信号を併せた順位を決定する全データ順位決定手段と、前記全データ順位決定手段により決定された順位に基づいて、シフト後の前記処理対象領域に含まれる複数の画素信号の並べ替えを行う全データ並べ替え手段とを有する。
【手続補正３】
【補正対象書類名】明細書
【補正対象項目名】００１７
【補正方法】変更
【補正の内容】
【００１７】
また、本発明の一様態によれば、信号処理を行うか否かの指示を入力するための入力手段と、前記入力手段により信号処理を行わない指示が入力された場合に、前記複数の旧画素信号の内、シフト前の前記処理対象領域における予め決められた画素位置の画素信号を予め決められた値に変更する第１の変更手段と、前記入力手段により信号処理を行わない指示が入力された場合に、前記複数の新画素信号の内、シフト後の前記処理対象領域における予め決められた画素位置の画素信号を予め決められた値に変更する第２の変更手段とを更に有する。
【手続補正４】
【補正対象書類名】明細書
【補正対象項目名】００１８
【補正方法】変更
【補正の内容】
【００１８】
また、本発明の別の一様態によれば、前記処理対象領域の大きさの変更を入力するための入力手段と、前記入力手段により前記処理対象領域の大きさの変更指示が入力された場合に、前記複数の旧画素信号の内、シフト前の前記処理対象領域における予め決められた画素位置の画素信号を予め決められた値に変更する第１の変更手段と、前記入力手段により前記処理対象領域の大きさの変更指示が入力された場合に、前記複数の新画素信号の内、シフト後の前記処理対象領域における予め決められた画素位置の画素信号を予め決められた値に変更する第２の変更手段とを更に有する。
【手続補正５】
【補正対象書類名】明細書
【補正対象項目名】００１９
【補正方法】変更
【補正の内容】
【００１９】
好ましくは、前記処理対象領域の大きさの変更は、信号処理装置が処理可能な処理対象領域の大きさよりも狭い範囲を指定するように変更する。また、前記第１の変更手段が変更する前記予め決められた値は、画素信号が取り得る最大値及び最小値であり、前記第２の変更手段が変更する前記予め決められた値は、画素信号が取り得る最大値及び最小値である。
【手続補正６】
【補正対象書類名】明細書
【補正対象項目名】００２１
【補正方法】変更
【補正の内容】
【００２１】
また、本発明の一様態によれば、前記全データ並べ替え手段により並べ替えられた画素信号から、中央の順位の信号を選択して出力する選択手段を更に有する。
【手続補正７】
【補正対象書類名】明細書
【補正対象項目名】００２２
【補正方法】変更
【補正の内容】
【００２２】
また、本発明の一様態によれば、前記新データ並べ替え手段は、前記複数の新画像信号の各信号を前記複数の新画像信号の別の各信号とそれぞれ比較する比較手段と、前記比較手段からの比較結果に基づいて、前記複数の新画像信号の大きさの順位を決定する手段とを有する。
【手続補正８】
【補正対象書類名】明細書
【補正対象項目名】００２３
【補正方法】変更
【補正の内容】
【００２３】
また、本発明の一様態によれば、前記全データ順位決定手段は、シフト後に前記処理対象領域から外れる画素信号に、前記処理対象領域から外れることを示す予め決められた値を順位として与える。
【手続補正９】
【補正対象書類名】明細書
【補正対象項目名】００２４
【補正方法】変更
【補正の内容】
【００２４】
また、本発明の一様態によれば、前記複数の旧画素信号には、信号処理を受けた回数を示す付加情報が付加され、前記全データ順位決定手段は、前記付加情報に基づいてシフト後に前記処理対象領域から外れる画素信号を判断する。
【手続補正１０】
【補正対象書類名】明細書
【補正対象項目名】００２５
【補正方法】変更
【補正の内容】
【００２５】
また、本発明の一様態によれば、前記付加情報は、シフト前の前記処理対象領域における前記複数の旧画素信号の列情報である。
【手続補正１１】
【補正対象書類名】明細書
【補正対象項目名】００２６
【補正方法】変更
【補正の内容】
【００２６】
また、本発明の一様態によれば、前記全データ順位決定手段は、前記複数の新画素信号の各信号と前記複数の旧画素信号とを大小比較し、前記複数の新画素信号の各信号の順位を決定する第１の順位決定手段と、前記複数の旧画素信号の各信号と前記複数の新画素信号とを大小比較し、前記複数の旧各画素信号の各信号の順位を決定する第２の順位決定手段とを有する。
【手続補正１２】
【補正対象書類名】明細書
【補正対象項目名】００２７
【補正方法】変更
【補正の内容】
【００２７】
また、本発明の一様態によれば、前記全データ並べ替え手段は、並べ替えた画像信号の内、シフト後の前記処理対象領域に含まれる画素信号を出力する。
【手続補正１３】
【補正対象書類名】明細書
【補正対象項目名】００２８
【補正方法】変更
【補正の内容】
【００２８】
また、本発明の一様態によれば、前記処理対象範囲が１回シフトする毎に、前記新データ並べ替え手段、前記全データ順位決定手段、及び、前記全データ並べ替え手段による処理を１回実行する。